(57)【要約】【課題】接触感知式の操作キーボード構造である統合式入力装置を提供する。【解決手段】統合式入力装置は、パネル1、感知層2、バックライト層3及び底層4からなり、該パネル1上には、複数のホットキーアイコン13、ボタングループアイコン14、カーソル制御アイコン15、タッチキーアイコン(左、右キーアイコン)16を備え、複数のホットキーアイコン13、ボタングループアイコン14、カーソル制御アイコン15或いはタッチキーアイコン16の任意のキーに接触すると、感知層2がそれを感知し、感知制御信号を発生し、コンピューター本体に伝送して演算を行う。【選択図】図１
0003167186.tif 000002
【実用新案登録請求の範囲】
【請求項１】
統合式入力装置は、パネル、第一透明層及び第二透明層を備える感知層からなり、
該パネル上には、複数のホットキーアイコン、ボタングループアイコン、カーソル制御アイコン、タッチキーアイコンを備え、
該第一透明層上には、第一正面及び第一背面を備え、該第一背面上には、複数の第一感知ブロック、複数の第一電極ブロック、第二感知ブロック、第三電極ブロックを備え、
該複数の第一感知ブロックは、該複数のホットキーアイコンに対応し、該複数の第一電極ブロックは、該ボタングループアイコンに対応し、
該第二感知ブロックは、該カーソル制御アイコンに対応し、該第三電極ブロックは、該タッチキーアイコンに対応し、
該第二透明層上には、第二正面及び第二背面を備え、該第二正面上には、該第一電極ブロック、第三電極ブロックに対応する複数の第二電極ブロックを備え、該第二電極ブロック周縁には、凸体を備え、
該凸体は、該第一電極ブロックと該第二電極ブロック、該第三電極ブロックの対応の間に、間隔空間を形成することを特徴とする統合式入力装置。
【請求項２】
前記パネルは、透明プラスチック薄片であることを特徴とする請求項１に記載の統合式入力装置。
【請求項３】
前記感知層は、２枚の透明プラスチック薄片により組成することを特徴とする請求項２に記載の統合式入力装置。
【請求項４】
前記第一感知ブロックには、複数の伝送導線を連結することを特徴とする請求項３に記載の統合式入力装置。
【請求項５】
前記複数の第一電極ブロックは、電気的に連接し、複数の信号伝送導線を連結することを特徴とする請求項４に記載の統合式入力装置。
【請求項６】
前記タッチキーアイコンは、左、右キーアイコンにより組成することを特徴とする請求項５に記載の統合式入力装置。
【請求項７】
前記第三電極ブロックと該第一電極ブロックとは、電気的に連接することを特徴とする請求項６に記載の統合式入力装置。
【請求項８】
前記第二電極ブロックは、複数の信号伝送導線を連結することを特徴とする請求項６に記載の統合式入力装置。
【請求項９】
前記統合式入力装置はさらに、バックライト層を備え、
該バックライト層は、該感知層下方に配置し、その上には、透明プラスチック薄片を備え、その上には、第一面及び第二面を備え、
該第一面上には、該第一感知ブロックに対応する複数の第一発光部品を備え、該各発光部品は、電源伝送導線を延伸し、
該第二面上には、複数の該第一電極ブロック及び該第二電極ブロックに対応する複数の第二発光部品を備え、該各第二発光部品は、電気的に連接し、しかも電源伝送導線を連結することを特徴とする請求項８に記載の統合式入力装置。
【請求項１０】
前記第一発光部品は、発光ダイオードであることを特徴とする請求項９に記載の統合式入力装置。
【請求項１１】
前記第二発光部品は、冷光板(EL)の発光部品であることを特徴とする請求項９に記載の統合式入力装置。
【請求項１２】
前記統合式入力装置はさらに、底層を備え、
該底層は、該パネル、該感知層、該バックライト層を載せる部品であることを特徴とする請求項９に記載の統合式入力装置。
【請求項１３】
統合式入力装置は、パネル、第一透明層及び第二透明層を備える感知層からなり、
該パネルの上には、複数のホットキーアイコン、ボタングループアイコン、カーソル制御アイコン、タッチキーアイコンを備え、
該第一透明層上には、第一正面及び第一背面を備え、該第一背面上には、複数の第一感知ブロック、複数の第三感知ブロック、第二感知ブロック、第四感知ブロックを備え、
該複数の第一感知ブロックは、該複数のホットキーアイコンに対応し、
該複数の第三感知ブロックは、該ボタングループアイコンに対応し、
該第二感知ブロックは、該カーソル制御アイコンに対応し、
該第四感知ブロックは、該タッチキーアイコンに対応することを特徴とする統合式入力装置。
【請求項１４】
前記パネルは、透明プラスチック薄片であることを特徴とする請求項１３に記載の統合式入力装置。
【請求項１５】
前記感知層は、２枚の透明プラスチック薄片により組成することを特徴とする請求項１４に記載の統合式入力装置。
【請求項１６】
前記第一感知ブロックには、複数の伝送導線を連結することを特徴とする請求項１５に記載の統合式入力装置。
【請求項１７】
前記複数の第三感知ブロックは、電気的に連接し、複数の信号伝送導線を連結することを特徴とする請求項１６に記載の統合式入力装置。
【請求項１８】
前記タッチキーアイコンは、左、右キーアイコンにより組成することを特徴とする請求項１７に記載の統合式入力装置。
【請求項１９】
前記第四感知ブロックと該第三感知ブロックとは、電気的に連接することを特徴とする請求項１８に記載の統合式入力装置。
【請求項２０】
前記統合式入力装置はさらに、バックライト層を備え、
該バックライト層は、該感知層下方に配置し、その上には、透明プラスチック薄片を備え、その上には、第一面及び第二面を備え、
該第一面上には、該第一感知ブロックに対応する複数の第一発光部品を備え、該各発光部品は、電源伝送導線を延伸し、
該第二面上には、複数の該第一電極ブロック及び該第二電極ブロックに対応する複数の第二発光部品を備え、該各第二発光部品は、電気的に連接し、しかも電源伝送導線を連結することを特徴とする請求項１９に記載の統合式入力装置。
【請求項２１】
前記第一発光部品は、発光ダイオードであることを特徴とする請求項２０に記載の統合式入力装置。
【請求項２２】
前記第二発光部品は、冷光板(EL)の発光部品であることを特徴とする請求項２０に記載の統合式入力装置。
【請求項２３】
前記統合式入力装置はさらに、底層を備え、
該底層は、該パネル、該感知層、該バックライト層を載せる部品であることを特徴とする請求項２０に記載の統合式入力装置。
【考案の詳細な説明】
【技術分野】
【０００１】
本考案はキーボードに関し、特に、接触感知式の操作キーボード構造である種々の機能を総合した統合式入力装置に関する。
【背景技術】
【０００２】
キーボードは、デスクトップ、或いはノート型コンピューターにとって、欠くべからざる周辺設備の一つである。キーボードにより、使用者は操作指令を入力し、特定の機能を執行することができる。
【０００３】
現在、デスクトップ及びノート型コンピューターが使用するキーボード上には、タッチパネル(カーソル移動を制御)がある他、他のファンクションキー、ボタングループ、ホットキーはすべて、押して操作する機械構造性の設計である。
例えば、該ボタンは、キーキャップを備え、該キーキャップが押されることで、該キーキャップ内部の構造は、ゴム弾性層を押し、これにより該ゴム弾性層は、薄膜式或いは硬式の印刷回路板を押し、こうして操作信号が生まれ、操作信号はコンピューター本体中に入力される。
【０００４】
しかし、この種のタッチパネル(カーソル移動を制御)、及びファンクションキー、ボタングループ、ホットキーを備えるキーボードは、製造時に、該タッチパネルと該ファンクションキー、該ボタングループ、該ホットキーのキーボードを、分けて製造する必要があるため、製造において非常に不便である。
【０００５】
しかも、キーボード上のファンクションキー、ボタングループ、ホットキーは、機械構造性の設計であるため、使用者の指がキーキャップを押すと、ぶつかることによる雑音が発生する。
【０００６】
さらに、使用者の指が、ボタンのキーキャップを押す時、押して加えられた力により、ボタンそのものの機械構造が損壊し、該ボタンが操作信号の入力をできなくなってしまうこともあり、使用上の困難を引き起こしている。
本考案は、従来の統合式入力装置の上記した欠点に鑑みてなされたものである。
【先行技術文献】
【特許文献】
【０００７】
【特許文献１】実用新案登録第３１４８９６０号公報
【考案の概要】
【考案が解決しようとする課題】
【０００８】
本考案が解決しようとする課題は、キーボード上の、タッチパネル(カーソル移動を制御)以外の他のファンクションキー、ボタングループ及びホットキーを、接触感知式に設計し、使用により生じる雑音を軽減し、さらにキーボード製造時に、タッチパネル、ファンクションキー、ボタングループ及びホットキーを同期に製造可能とし、これによりキーボード製造を容易にし、製造時間、製造工程及びコストを節減することができる統合式入力装置を提供することである。
【課題を解決するための手段】
【０００９】
上記課題を解決するため、本考案は下記の統合式入力装置を提供する。
統合式入力装置は、第一表面及び第二表面を備えるパネル、該パネル下方に配置する感知層、該感知層下方に配置するバックライト層、底層からなり、
該第一表面上には、複数のホットキーアイコン、ボタングループアイコン、カーソル制御アイコン、タッチキーアイコンを備え、
該感知層は、第一透明層及び第二透明層を備え、該第一透明層上には、第一正面及び第一背面を備え、該第一背面上には、複数の第一感知ブロック、複数の第一電極ブロック、第二感知ブロック、第三電極ブロックを備え、
該複数の第一感知ブロックは、該複数のホットキーアイコンに対応し、しかも該第一感知ブロックには、複数の伝送導線を連結し、
該複数の第一電極ブロックは、電気的に連接し、複数の信号伝送導線を連結し、  該複数の第一電極ブロックは、該ボタングループアイコンに対応し、
該第二感知ブロックは、該カーソル制御アイコンに対応し、
該第三電極ブロックと該第一電極ブロックとは、電気的に連接し、該第三電極ブロックは、該タッチキーアイコン(左、右キー)に対応する。
【００１０】
また、前記第二透明層上には、第二正面及び第二背面を備え、該第二正面上には、複数の第二電極ブロックを備え、該複数の第二電極ブロックは、電気的に連接し、複数の信号伝送導線を連結し、該複数の第二電極ブロックは、該第一電極ブロック、該第三電極ブロックに対応し、該第二電極ブロック周縁には、凸体を備え、該凸体は、該第一電極ブロック、該第三電極ブロックと該第二電極ブロックの対応の間に、間隔空間を形成し、
該バックライト層上には、第一面及び第二面を備え、該第一面上には、該第一感知ブロックに対応する複数の第一発光部品を備え、該各発光部品は、電源伝送導線を延伸し、該第二面上には、複数の該第一電極ブロック及び該第二電極ブロックに対応する複数の第二発光部品を備え、該各第二発光部品は、電気的に連接し、しかも電源伝送導線を連結し、該底層は、該パネル、該感知層、該バックライト層を載せる部品である。
【考案の効果】
【００１１】
本考案の統合式入力装置によれば、キーボード上の、タッチパネル(カーソル移動を制御)以外の他のファンクションキー、ボタングループ及びホットキーを、接触感知式に設計し、使用により生じる雑音を軽減し、さらにキーボード製造時に、タッチパネル、ファンクションキー、ボタングループ及びホットキーを同期に製造可能とし、これによりキーボード製造を容易にし、製造時間、製造工程及びコストを節減することができる。
【図面の簡単な説明】
【００１２】
【図１】本考案の接触感知式のキーボード構造の外観模式図である。
【図２】本考案の接触感知式のキーボード構造の分解模式図である。
【図３】図２に示す感知層の第一透明層の拡大模式図である。
【図４】図２に示す感知層の第二透明層の拡大模式図である。
【図５】図２に示すバックライト層の拡大模式図である。
【図６】図１の側断面模式図である。
【図７】図６の局部拡大模式図である。
【図８】本考案の別種の実施例の分解模式図である。
【図９】図８の側断面模式図である。
【考案を実施するための形態】
【００１３】
以下に図面を参照しながら本考案を実施するための最良の形態について詳細に説明する。
【実施例】
【００１４】
図１、２は、本考案の種々の機能を総合した統合式入力装置の実施例の外観及び分解模式図で、図３、４は、図２に示す感知層の拡大模式図で、図５は、図２に示すバックライト層の拡大模式図である。
本考案の種々の機能を総合した統合式入力装置は、接触感知式の操作キーボード構造で、透明プラスチック薄片であるパネル1、該パネル1下方に配置する感知層2、該感知層2下方に配置するバックライト層3及び底層4からなる。
該パネル1上には、第一表面11及び第二表面12を備え、該第一表面11上には、複数のホットキー(Hot key)アイコン13、ボタングループアイコン14、カーソル制御アイコン15、タッチキーアイコン(左、右キーアイコン)16を備える。
【００１５】
使用者が該ホットキーアイコン13にタッチすると、該項機能は直ちに執行される。例えば、インターネットに接続する場合には、使用者がこのキーを押すだけで、コンピューターは直ちにインターネットに接続する。該ボタングループアイコン14により、使用者は各種符号、文字、数字、大文字小文字及び機能切替等の操作指令を入力することができる。
前記カーソル制御アイコン15により、使用者はカーソルの制御を行うことができる。該タッチキーアイコン16により、使用者はクリック及び確認等機能を執行することができる。
【００１６】
前記感知層2は、２枚の透明プラスチック薄片により形成する第一透明層21及び第二透明層22からなる。該第一透明層21上には、第一正面211及び第一背面212を備える。該第一背面212上には、複数の第一感知ブロック213、複数の第一電極ブロック214、第二感知ブロック215、第三電極ブロック216を備える。
該複数の第一感知ブロック213は、該複数のホットキーアイコン13に対応し、しかも該第一感知ブロック213には、複数の伝送導線213aを連結する。
【００１７】
該複数の第一電極ブロック214は、電気的に連接し、複数の伝送導線214aを連結する。該複数の第一電極ブロック214は、該ボタングループアイコン14に対応する。
該第二感知ブロック215は、該カーソル制御アイコン15に対応する。
該第三電極ブロック216と該第一電極ブロック214とは、電気的に連接し、該第三電極ブロック216は、該タッチキーアイコン16に対応する。
【００１８】
該第二透明層22上には、第二正面221及び第二背面222を備える。該第二正面221上には、複数の第二電極ブロック223を備える。該第二電極ブロック223は、電気的に連接し、複数の伝送導線224を連結する。
該複数の第二電極ブロック223は、該第一電極ブロック214、該第三電極ブロック216にそれぞれ対応する。
【００１９】
該第二電極ブロック223周縁には、凸体225を備える。該凸体225は、該第一電極ブロック214、第三電極ブロック216と該第二電極ブロック223の対応の間に、間隔空間を形成する。
【００２０】
該バックライト層3上には、透明プラスチック薄片を備え、その上には、第一面31及び第二面32を備える。該第一面31上には、該第一感知ブロック213に対応する複数の第一発光部品311を備える。
該各発光部品311は、電源伝送導線312を延伸する。
【００２１】
該第二面32上には、複数の該第一電極ブロック214及び該第二電極ブロック223に対応する複数の第二発光部品321を備える。該各第二発光部品321は、電気的に連接し、しかも電源伝送導線322を連結する。本図式中において、該第一発光部品311は、発光ダイオードで、該第二発光部品321は、冷光板(EL)の発光部品である。
該底層4は、該パネル1、該感知層2、該バックライト層3を載せる部品である。
上記の第一感知ブロック213、第二感知ブロック215はともに、キャパシタ式のタッチ感知部品で、第一電極ブロック214、第三電極ブロック216は、該第二電極ブロック223に対応し、レジスター式感知部品を形成する。
【００２２】
図６、７は、図１の側断面及び図６の局部拡大模式図である。
図に示すように、使用者が入力操作を行う時、パネル1上のホットキーアイコン13にタッチすると、該第一感知ブロック213が感知した後、該第一感知ブロック213が感知した信号は、伝送導線213a(図３参照)により送り出され、該ホットキーの機能を迅速に執行することができる。
【００２３】
該使用者の指が、ボタングループアイコン14の任意のボタン上を押すと、該第一電極ブロック214と該第二電極ブロック223は接触し、該伝送導線214a、224を通して信号を伝送し、各種符号、文字、数字、大文字小文字及び機能切替等を執行する。使用者の指が、該カーソル制御アイコン15上をスライドし、それを、該第二感知ブロック215が感知すると、信号を、コンピューター本体(図示なし)上に伝送し、こうしてカーソル移動を制御することができる。
カーソルを制御し、執行しようとするアイコン(icon)上にカーソルを移動させ、該タッチキーアイコン16に接触し、該第三電極ブロック216と該第二電極ブロック223において接触すると、該アイコンをクリックする機能を執行することができる。
【００２４】
図８は、本考案の別種の実施例の分解図で、図９は、図８の側断面模式図である。
図に示すように、本考案は、接触感知式の操作キーボード構造の統合式入力装置で、該第一透明層21の第一背面212上に、複数の第三感知ブロック217、第四感知ブロック218をプリントする。
【００２５】
該各第三感知ブロック217は、電気的に連接し、該第三感知ブロック217、該第四感知ブロック218により、該第一電極ブロック214に置換する。
該第三電極ブロック216(図３参照)及び該第二電極ブロック223(図４参照)は、該ボタングループアイコン14及び該タッチキーアイコン16上に対応し、複数の伝送導線217aを連結する。
【００２６】
統合式入力装置の製造時には、第二透明層22(図４参照)の製造時間、製造工程及びコストを省くことができ、これにより該ボタングループアイコン14は、キャパシタ式のタッチ感知を形成し、製造をより簡単で容易にすることができる。
【００２７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２９】
1  パネル
11  第一表面
12  第二表面
13  ホットキーアイコン
14  ボタングループアイコン
15  カーソル制御アイコン
16  タッチキーアイコン
2  感知層
21  第一透明層
211  第一正面
212  第一背面
213  第一感知ブロック
213a  伝送導線
214  第一電極ブロック
214a  伝送導線
215  第二感知ブロック
216  第三電極ブロック
217  第三感知ブロック 
217a  伝送導線
218  第四感知ブロック
22  第二透明層
221  第二正面
222  第二背面
223  第二電極ブロック
224  伝送導線
225  凸体
3  バックライト層
31  第一面
311  第一発光部品
312  電源伝送導線
32  第二面
321  第二発光部品
322  電源伝送導線
4  底層
【図１】
0003167186.tif 000003
【図２】
0003167186.tif 000004
【図３】
0003167186.tif 000005
【図４】
0003167186.tif 000006
【図５】
0003167186.tif 000007
【図６】
0003167186.tif 000008
【図７】
0003167186.tif 000009
【図８】
0003167186.tif 000010
【図９】
0003167186.tif 000011
【手続補正書】
【提出日】平成23年2月1日(2011.2.1)
【手続補正１】
【補正対象書類名】実用新案登録請求の範囲
【補正対象項目名】全文
【補正方法】変更
【補正の内容】
【実用新案登録請求の範囲】
【請求項１】
統合式入力装置は、パネル、第一透明層及び第二透明層を備える感知層からなり、
該パネル上には、複数のホットキーアイコン、ボタングループアイコン、カーソル制御アイコン、タッチキーアイコンを備え、
該第一透明層上には、第一正面及び第一背面を備え、該第一背面上には、複数の第一感知ブロック、複数の第一電極ブロック、第二感知ブロック、第三電極ブロックを備え、
該複数の第一感知ブロックは、該複数のホットキーアイコンに対応し、該複数の第一電極ブロックは、該ボタングループアイコンに対応し、
該第二感知ブロックは、該カーソル制御アイコンに対応し、該第三電極ブロックは、該タッチキーアイコンに対応し、
該第二透明層上には、第二正面及び第二背面を備え、該第二正面上には、該第一電極ブロック、第三電極ブロックに対応する複数の第二電極ブロックを備え、該第二電極ブロック周縁には、凸体を備え、
該凸体は、該第一電極ブロックと該第二電極ブロック、該第三電極ブロックの対応の間に、間隔空間を形成することを特徴とする統合式入力装置。
【請求項２】
前記パネルは、透明プラスチック薄片であることを特徴とする請求項１に記載の統合式入力装置。
【請求項３】
前記感知層は、２枚の透明プラスチック薄片により組成することを特徴とする請求項２に記載の統合式入力装置。
【請求項４】
前記第一感知ブロックには、複数の伝送導線を連結することを特徴とする請求項３に記載の統合式入力装置。
【請求項５】
前記複数の第一電極ブロックは、電気的に連接し、複数の信号伝送導線を連結することを特徴とする請求項４に記載の統合式入力装置。
【請求項６】
前記タッチキーアイコンは、左、右キーアイコンにより組成することを特徴とする請求項５に記載の統合式入力装置。
【請求項７】
前記第三電極ブロックと該第一電極ブロックとは、電気的に連接することを特徴とする請求項６に記載の統合式入力装置。
【請求項８】
前記第二電極ブロックは、複数の信号伝送導線を連結することを特徴とする請求項６に記載の統合式入力装置。
【請求項９】
前記統合式入力装置はさらに、バックライト層を備え、
該バックライト層は、該感知層下方に配置し、その上には、透明プラスチック薄片を備え、その上には、第一面及び第二面を備え、
該第一面上には、該第一感知ブロックに対応する複数の第一発光部品を備え、該各発光部品は、電源伝送導線を延伸し、
該第二面上には、複数の該第一電極ブロック及び該第二電極ブロックに対応する複数の第二発光部品を備え、該各第二発光部品は、電気的に連接し、しかも電源伝送導線を連結することを特徴とする請求項８に記載の統合式入力装置。
【請求項１０】
前記第一発光部品は、発光ダイオードであることを特徴とする請求項９に記載の統合式入力装置。
【請求項１１】
前記第二発光部品は、冷光板(EL)の発光部品であることを特徴とする請求項９に記載の統合式入力装置。
【請求項１２】
前記統合式入力装置はさらに、底層を備え、
該底層は、該パネル、該感知層、該バックライト層を載せる部品であることを特徴とする請求項９に記載の統合式入力装置。
【請求項１３】
統合式入力装置は、パネル、第一透明層を備える感知層からなり、
該パネルの上には、複数のホットキーアイコン、ボタングループアイコン、カーソル制御アイコン、タッチキーアイコンを備え、
該第一透明層上には、第一正面及び第一背面を備え、該第一背面上には、複数の第一感知ブロック、複数の第三感知ブロック、第二感知ブロック、第四感知ブロックを備え、
該複数の第一感知ブロックは、該複数のホットキーアイコンに対応し、
該複数の第三感知ブロックは、該ボタングループアイコンに対応し、
該第二感知ブロックは、該カーソル制御アイコンに対応し、
該第四感知ブロックは、該タッチキーアイコンに対応することを特徴とする統合式入力装置。
【請求項１４】
前記パネルは、透明プラスチック薄片であることを特徴とする請求項１３に記載の統合式入力装置。
【請求項１５】
前記第一感知ブロックには、複数の伝送導線を連結することを特徴とする請求項１4に記載の統合式入力装置。
【請求項１６】
前記複数の第三感知ブロックは、電気的に連接し、複数の信号伝送導線を連結することを特徴とする請求項１５に記載の統合式入力装置。
【請求項１７】
前記タッチキーアイコンは、左、右キーアイコンにより組成することを特徴とする請求項１６に記載の統合式入力装置。
【請求項１８】
前記第四感知ブロックと該第三感知ブロックとは、電気的に連接することを特徴とする請求項１７に記載の統合式入力装置。
【請求項１９】
前記統合式入力装置はさらに、バックライト層を備え、
該バックライト層は、該感知層下方に配置し、その上には、透明プラスチック薄片を備え、その上には、第一面及び第二面を備え、
該第一面上には、該第一感知ブロックに対応する複数の第一発光部品を備え、該各発光部品は、電源伝送導線を延伸し、
該第二面上には、複数の該第一電極ブロック及び該第二電極ブロックに対応する複数の第二発光部品を備え、該各第二発光部品は、電気的に連接し、しかも電源伝送導線を連結することを特徴とする請求項１８に記載の統合式入力装置。
【請求項２０】
前記第一発光部品は、発光ダイオードであることを特徴とする請求項１９に記載の統合式入力装置。
【請求項２１】
前記第二発光部品は、冷光板(EL)の発光部品であることを特徴とする請求項１９に記載の統合式入力装置。
【請求項２２】
前記統合式入力装置はさらに、底層を備え、
該底層は、該パネル、該感知層、該バックライト層を載せる部品であることを特徴とする請求項１９に記載の統合式入力装置。